(57)【要約】【課題】キーボードとカードリーダとの操作性を損なうことなく、また装置本体の外形を大きくすることなく、キーボードとカードリーダとを同時に取り付けることができるカードリーダ保持部材を提供する。【解決手段】装置本体の操作部４の横に取り付けられたキーボード２と、キーボード２の後方で、キーボード２の長手方向の外側端部からはみ出さない範囲に取り付けられたカードリーダ３と、を有する。【選択図】図２
2016103118.tif 000002
【特許請求の範囲】
【請求項１】
装置本体の操作部の横に取り付けられたキーボードと、
該キーボードの後方で、該キーボードの長手方向の外側端部からはみ出さない範囲に取り付けられたカードリーダと、
を有することを特徴とするカードリーダ保持部材。
【請求項２】
前記カードリーダがスワイプ式の場合にカードを通すスワイプ領域が、前記カードリーダの両脇に、カード１枚分以上の長さが確保されていることを特徴とする請求項１記載のカードリーダ保持部材。
【請求項３】
前記カードリーダの前記スワイプ領域に、受け台を設けたことを特徴とする請求項２記載のカードリーダ保持部材。
【請求項４】
前記カードリーダの上面は、前記キーボードの上面よりも上方にあることを特徴とする請求項１〜３のいずれか１項に記載のカードリーダ保持部材。
【請求項５】
前記キーボードを保持するキーボード保持部材に取り付けられることで、前記カードリーダのコネクタは、前記キーボード保持部材の中に収納され、機外に露出しないことを特徴とする請求項１〜４のいずれか１項に記載のカードリーダ保持部材。
【請求項６】
請求項１〜５のいずれか１項に記載のカードリーダ保持部材を備えた画像形成装置。
【発明の詳細な説明】
【技術分野】
【０００１】
本発明は、カードリーダを固定するカードリーダ保持部材および画像形成装置に関する。
【背景技術】
【０００２】
画像形成装置の操作部付近にオプションとしてキーボードとカードリーダとをそれぞれ単体で本体に取り付けて固定する方法が既に知られている。
【０００３】
特許文献１には、操作部付近に設置されるカードリーダなどの追加オプションの操作性をよくする目的で、操作部側面に追加オプションを直接取り付ける方法が開示されている。
【発明の概要】
【発明が解決しようとする課題】
【０００４】
しかし、従来のキーボードとカードリーダとをそれぞれ単体で本体に取り付けて固定する方法や特許文献１に開示された技術では、キーボードとカードリーダとを同時に装着できないか、操作部、キーボードまたはカードリーダのいずれかの操作性が悪くなったり、装置本体より大きくはみ出してしまい、装置本体の外形が大きくなってしまうという問題があった。
【０００５】
本発明は、前記課題を解決するためのものであり、その目的とするところは、キーボードとカードリーダとの操作性を損なうことなく、また装置本体の外形を大きくすることなく、キーボードとカードリーダとを同時に取り付けることができるカードリーダ保持部材を提供することである。
【課題を解決するための手段】
【０００６】
かかる目的を達成するために、本発明は、以下の特徴を有する。
【０００７】
本発明に係るカードリーダ保持部材は、装置本体の操作部の横に取り付けられたキーボードと、該キーボードの後方で、該キーボードの長手方向の外側端部からはみ出さない範囲に取り付けられたカードリーダと、を有することを特徴とする。
【発明の効果】
【０００８】
本発明によれば、キーボードとカードリーダとの操作性を損なうことなく、また装置本体の外形を大きくすることなく、キーボードとカードリーダとを同時に取り付けることができる。
【図面の簡単な説明】
【０００９】
【図１】本実施形態に係る画像形成装置に設けられたキーボードとカードリーダとを示す斜視図である。
【図２】カードリーダの両側にカードスワイプ領域を設けていることを示す正面図である。
【図３】キーボードの天面とカードリーダの天面との位置を示す側面図である。
【図４】装置本体の右下から見たキーボードとカードリーダとを示す斜視図である。
【図５】カードリーダのカードスワイプ領域に設けた受け台を示す正面図である。
【発明を実施するための形態】
【００１０】
以下、本実施形態について図面により詳細に説明する。
【００１１】
図１は、本実施形態に係る画像形成装置１に設けられたキーボード２とカードリーダ３とを示す斜視図である。画像形成装置１にキーボード２とカードリーダ３とが取り付けられている。
【００１２】
画像形成装置１には、ユーザからの希望によりオプションとして、キーボード２やカードリーダ３を取り付けることが望まれている。さらに、一部のユーザからはキーボード２とカードリーダ３との同時装着が望まれている。
【００１３】
本体操作部４の右側にキーボード２が取り付けられ、その後方にカードスワイプ式のカードリーダ３が取り付けられている。カードリーダ３は、キーボード２の長手方向の外側端部より内側に収まる位置に取り付けられている。
【００１４】
カードリーダ３が取り付けられる位置は、キーボード２の前であると、キーボード２をユーザが操作する時に邪魔になり操作性が悪くなる。また、キーボード２の右側だと本体の外形をさらに大きくしてしまう。そのため、カードリーダ３はキーボード２の後方に設置され、キーボードの長手方向の外側端部より内側に収まる必要がある。
【００１５】
図２は、カードリーダ３の両側にカードスワイプ領域１１を設けていることを示す正面図である。装置本体に取り付けられたカードリーダ３の両脇にカードスワイプ領域１１が設けられている。カードリーダ３の読み取り機構が、ＩＣカードをスワイプすることによって読み取る方式の場合には、カードリーダ３の側面両側にＩＣカードをスワイプするカードスワイプ領域１１が必要となる。
【００１６】
画像形成装置１の場合、操作部４やスキャナなどがあるため、十分なカードスワイプ領域１１を確保するために、操作部４の右側に取り付けられたキーボード２に対して、キーボード２の右端面とカードリーダ３の右端面とがそろうように取り付けられている。
【００１７】
また、このカードスワイプ領域１１は、ＩＣカードをカードリーダ３に通した時に、他の部品とぶつからないようにするために、カードリーダ３の両脇に最低でもＩＣカード一枚分の長さの領域が必要となる。ＩＣカード１枚分以上の領域を確保することで、ユーザがカードリーダ３にＩＣカードを通す時に手がぶつかることが無く、操作性が損なわれない。
【００１８】
図３は、キーボード２の天面２１とカードリーダ３の天面２２との位置を示す側面図である。装置の右側からキーボード２とカードリーダ３とを見ている。図４は、装置本体の右下から見たキーボード２とカードリーダ３とを示す斜視図である。カードリーダ３はハーネス隠しカバー２３上に固定され、カードリーダ３の後方側面はカバー２４で覆われている。ハーネス隠しカバー２３は、キーボードブラケット２５の側面にネジ２６で固定されている。
【００１９】
この時のカードリーダ３の天面２２は、キーボード２の天面２１（操作面）よりも上になるように取り付けられている。これはカードリーダ３の天面２２がキーボード２の天面２１より下にあった場合、スワイプ式のカードリーダ３にＩＣカードを通した時にキーボード２が邪魔になり、ユーザの操作性を下げることになるからである。
【００２０】
カードリーダ３の天面２２がキーボード２の天面２１よりも低くても、カードリーダ３を後方に遠ざければ、ＩＣカードを通す時にキーボード２が邪魔にならないが、この場合カードリーダ３が機械正面に立つユーザから遠ざかってしまい、操作性が悪くなってしまう。
【００２１】
そのため、カードリーダ３の天面２２はキーボード２の天面２１よりも上になるように、かつカードスワイプ領域１１を確保できる範囲で、カードリーダ３をキーボード２に近づけるようにして、カードリーダ３が取り付けられる。カードリーダ３を操作する際にキーボード２に手がぶつからないので、操作性が損なわれない。
【００２２】
次に、キーボード２とカードリーダ３とのハーネス経路について説明する。キーボード２とカードリーダ３との同時取り付けは、特に北米の大学で望まれている。しかし、北米の大学においてはキーボード２とカードリーダ３との盗難の被害も多い。盗難の具体的な手口として、ハーネスを切断し露出している部分を持ち去るという方法がとられる場合がほとんどである。そのため盗難被害を防ぐために、キーボード２とカードリーダ３とのハーネスは露出させない必要がある。
【００２３】
カードリーダ３の底面から出るハーネスは、カードリーダ３の底面が固定されているハーネス隠しカバー２３の中を通り、キーボード２を保持するキーボードブラケット２５の内部に入る。カードリーダ３を取り付けた場合にカードリーダ３のハーネス隠しカバー２３の底面に形成された凸部２７は、キーボードブラケット２５の側面に貫通して固定されている。カードリーダ３のハーネスは、ハーネス隠しカバー２３とキーボードブラケット２５との内部に入り込んでいるため、機外に露出することはない。
【００２４】
キーボードブラケット２５は装置本体に取り付けられているため、カードリーダ３のハーネスはキーボードブラケット２５の中を通り本体に接続される。また、キーボード２のハーネスも同様にキーボードブラケット２５の中を通り、本体に接続される。
【００２５】
このことにより、キーボード２とカードリーダ３共にハーネスを機外に露出させることなく、装置本体に接続することができる。ハーネスが機外に露出しないので、盗難被害にあいにくくなる。
【００２６】
図５は、カードリーダ３のカードスワイプ領域１１に設けた受け台４１を示す正面図である。カードリーダ３のカードスワイプ領域１１の装置本体側に受け台４１が設けられている。カードスワイプ領域１１を設けるということは、カードスワイプ領域１１にユーザの手が通るということである。
【００２７】
そのため、ユーザがＩＣカードを通す前や後に、ＩＣカードなどの物を落としてしまう場合がある。そのような場合でも受け台を設けることにより、簡単に拾うことができる。スワイプ時にカードなどの物を落としてしまっても受け台４１で拾えて、とりにくい場所に入ってしまうことがない。
【００２８】
本実施形態によれば、装置本体の操作部４の横に取り付けられたキーボード２に対して、キーボード２の後方で、キーボード２の長手方向の外側端部より内側にカードリーダ３が取り付けられるので、キーボード２とカードリーダ３との操作性を損なうことなく、また装置本体の外形を大きくすることなく、キーボード２とカードリーダ３とを同時に取り付けることができる。
【００２９】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００３０】
１    画像形成装置
２    キーボード
３    カードリーダ
４    操作部
１１    カードスワイプ領域
２１    天面
２３    ハーネス隠しカバー
２５    キーボードブラケット
２７    凸部
４１    受け台
【先行技術文献】
【特許文献】
【００３１】
【特許文献１】特開２０１１−２０３３７１号公報
【図１】
2016103118.tif 000003
【図２】
2016103118.tif 000004
【図３】
2016103118.tif 000005
【図４】
2016103118.tif 000006
【図５】
2016103118.tif 000007